(57)【要約】２ストロークまたは４ストローク燃焼機関で、ソレノイド（Ａ）、プランジャ（５）、およびばね（６）を含む弁アクチュエータを電気的に制御するための方法およびデバイスであって、機関は、対応する弁軸（１１）および弁ばね（４）を有する弁ディスク（１０）を有する少なくとも１つの自由に制御可能な機関弁を有する少なくとも１つのシリンダー（１）を有し、プランジャの下端と弁軸の上端との間に距離（７）が設けられ、シリンダーにおける少なくとも１つの通路（２）を介して弁ディスクを有する弁軸の下部を通り過ぎた燃焼室（３）に対して、空気が供給されまたは排ガスが排気され、該弁アクチュエータは機関弁を開放するために作動可能である方法およびデバイスに関する。ソレノイドを作動後に機関弁の開放が開始され、その後プランジャを加速させることで、この下端を弁軸の上端に衝突させて、弁の初期開放を行う。【選択図】図１
2021532303.tif 000002
【特許請求の範囲】
【請求項１】
２ストロークまたは４ストローク燃焼機関で、ソレノイド（Ａ）、プランジャ（５）、およびばね（６）を含む弁アクチュエータを電気的に制御するための方法であって、
前記アクチュエータのばね（６）は、前記ソレノイドを作動させない時、前記プランジャをホームポジションに保ち、前記機関は、対応する弁軸（１１）および弁ばね（４）を有する弁ディスク（１０）を有する少なくとも１つの自由に制御可能な機関弁を有する少なくとも１つのシリンダー（１）を有し、前記プランジャの下端と前記弁軸の上端との間に距離が設けられ、前記シリンダーにおける少なくとも１つの通路（２）を介して前記弁ディスクを有する前記弁軸の下部を通り過ぎた燃焼室（３）に対して、空気が供給されまたは排ガスが排気され、前記弁アクチュエータは前記機関弁を開放するために作動可能であり、
前記ソレノイドを作動後に前記機関弁の開放が開始され、その後前記プランジャを加速させることで、この下端を前記弁軸の前記上端に衝突させて、前記弁の初期開放を行い、前記プランジャの移動は、前記プランジャが前記ソレノイドにおけるこの停止部に達する時に前記移動が妨害されるまで継続し、前記機関弁の開放運動は、弁ばね力によって前記運動が停止するまで継続することで、前記機関弁は弁座の方へ戻り始める
ことを特徴とする方法。
【請求項２】
前記機関弁が前記弁座に達する前に前記弁軸の前記上端が前記プランジャの前記下端に達することで、前記機関弁の閉止運動の制動が生じる
請求項１に記載の方法。
【請求項３】
前記機関弁が前記弁座に達する直前に、前記弁座に穏やかに戻ることが可能になるように前記機関弁の運動を制動させるように短い時間で適応させる間に前記ソレノイドを作動させる
請求項２に記載の方法。
【請求項４】
２ストロークまたは４ストローク燃焼機関における弁アクチュエータを電気的に制御し、かつ請求項１に記載の方法を実行するためのデバイスであって、
機関弁は、ソレノイドの作動後に最初に開放するように構成されることで、その後プランジャを加速させることによって、この下端を弁軸の上端に衝突させて前記弁の初期開放を行い、前記プランジャは、前記プランジャが前記ソレノイドにおけるこの停止部に達する時に前記運動が妨害されるまでこの運動を継続し、前記機関弁は、この開放運動を、弁ばね力によって前記運動が停止するまで継続することで、前記機関弁は前記弁座の方へ戻り始めるように構成される
ことを特徴とするデバイス。
【請求項５】
短い機械ばね（４）は外側の機械ばね（９）の空間に配置され、前記短い機械ばね（４）は前記外側の機械ばね（９）と比較してばね定数がかなり高い
請求項４に記載のデバイス。
【請求項６】
前記短い機械ばね（４）は、前記外側の機械ばね（９）と比較して、かなり堅く、かつかなり高いばね定数を有する
請求項４に記載のデバイス。
【請求項７】
ばね座金（８）は、前記短い機械ばね（４）への前記機関弁の運動エネルギーを受けるように前記短い機械ばね（４）に衝突して制動させて、前記運動を閉止運動に変える
請求項５または６に記載のデバイス。
【発明の詳細な説明】
【技術分野】
【０００１】
本発明は、２または４ストローク機関におけるガス流を制御しかつ調節するための自由に制御可能な電気作動弁アクチュエータにおける方法および配置構成に関する。
【背景技術】
【０００２】
自由に制御可能な弁によって、効率が増し、かつ排気をかなり低下させる、すなわち、排ガスをきれいにすることが可能になる。弁アクチュエータはまた、空気圧または油圧作動させることもできる。
【発明の概要】
【発明が解決しようとする課題】
【０００３】
本発明の目的は新しいアクチュエータ技術を提供することである。電気的に制御される電気機械式弁アクチュエータは、構成が簡易であり、エネルギー効率が良く、機関のシリンダーヘッドでの機関弁の開閉を迅速に行うことが可能である。この目的は、特許請求項の範囲で指定される特徴によって本発明によって実現される。
【課題を解決するための手段】
【０００４】
この技術は、ソレノイド、および、従来のやり方で、機関弁が開放される時に弁を閉止したままにし、かつここでは「水撃作用（ｈａｍｍｅｒ  ｅｆｆｅｃｔ）」と呼ばれるものを使用する、機関弁ばねを使用することを伴う。
【０００５】
機関弁を開放するためにソレノイドを使用する時の既知の問題は、該弁が、弁を閉止したままにする機械ばねである機関弁ばねの力を克服するために強力である必要があることである。高強度による１つの欠点は、機関弁ばねの閉止力を克服するものとなる可動鉄心であるプランジャが、大きくかつ重くなることである。鉄心および弁ばねの重量と合わせて弁ばねの力によって、弁が閉止されてから、弁が完全に開放された後再び閉止されるまでの期間を短く、すなわち、時間を短くすることができない。本発明は、鉄心の質量がこの期間中ほとんど関係がないことを特徴とする。鉄心の大部分が機関弁の運動の一部にならないため、期間をかなり短くすることが可能である。この技術では、鉄心の重量を利用し、この既知の欠点を「水撃作用」という利点に変える。
【図面の簡単な説明】
【０００６】
【図１】機関をオフにした初期位置、および、従来の弁ディスク１０を通って燃焼室３に対して、空気を燃料と共にまたは燃料なしで供給する、または排ガスを排気するための通路２を有するシリンダーヘッド１の側部の部分切断図である。
【図２】機関弁が、例えば、機関が始動される前に依然閉止位置にあることを示す図である。
【図３】開放運動時の機関弁を示す図である。
【図４】変更された完全開放位置における機関弁を示す図である。
【図５】機関弁軸が、機関弁が通路２を閉ざすことになる時にこの初期位置の方への初期運動の前または初期運動時にプランジャに達することを示す図である。
【図６】機関弁が、図１に示されるようなこの初期位置に戻ることを示す図である。
【図７】プランジャがまた、ばね６による助けでこの初期位置に戻されることを示す図である。
【図８】基本的に、短い機械ばね４が外側の機械ばね９内に設けられる中央空間に配置されることを除いて、図１〜図７と同じ方法を示す図である。
【図９】基本的に、短い機械ばね４が外側の機械ばね９内に設けられる中央空間に配置されることを除いて、図１〜図７と同じ方法を示す図である。
【図１０】基本的に、短い機械ばね４が外側の機械ばね９内に設けられる中央空間に配置されることを除いて、図１〜図７と同じ方法を示す図である。
【図１１】基本的に、短い機械ばね４が外側の機械ばね９内に設けられる中央空間に配置されることを除いて、図１〜図７と同じ方法を示す図である。
【図１２】基本的に、短い機械ばね４が外側の機械ばね９内に設けられる中央空間に配置されることを除いて、図１〜図７と同じ方法を示す図である。
【図１３】基本的に、短い機械ばね４が外側の機械ばね９内に設けられる中央空間に配置されることを除いて、図１〜図７と同じ方法を示す図である。
【図１４】基本的に、短い機械ばね４が外側の機械ばね９内に設けられる中央空間に配置されることを除いて、図１〜図７と同じ方法を示す図である。
【発明を実施するための形態】
【０００７】
本発明について、ここで、示される実施形態を参照して説明する。ここで、図１〜図１４は、クランク角度を検出するための必要とされるセンサ、および、クランク角度を読み取り、かつ必要とされるソレノイドなどを制御するための電子機器を有するコンピュータ利用機関制御システムが既に存在しているとみなされるため、示される必要はない実施形態を概略的に示す。また、いずれのスパークプラグまたは燃料噴射器も示す必要はなく、シリンダー壁およびピストンによって取り囲まれる燃焼室も同様である。
【０００８】
図１は、機関をオフにした初期位置、および、従来の弁ディスク１０を通って燃焼室３に対して、空気を燃料と共にまたは燃料なしで供給する、または排ガスを排気するための通路２を有するシリンダーヘッド１の側部の部分切断図を示す。機関弁は弁軸１１を有する弁ディスクから成る。機関弁はばね４を使用する従来のやり方で閉止されたままにし、従来のばね座金８はばねを一定のプレテンションで適所に保持する。鉄心またはプランジャ５を有するソレノイドＡがさらに示される。ばね６は、ソレノイドＡを作動させない時、プランジャ５をホームポジションに保つ。弁軸１１の上端と、プランジャ５の下端との間に加速距離ともいう距離７がある。図には示されないが、プランジャが大質量を有することは理解されたい。プランジャがソレノイドに全体的にまたは部分的に存在する時、ソレノイドにあるプランジャの部分は、銅線が巻き付けられている。電気が巻線に供給される時、プランジャを引き寄せるまたははね返す磁場が生成される。この場合、プランジャは、周囲の磁場によって引き寄せられるが、依然本発明の範囲内にあるが対極にある可能性がある。プランジャは、ソレノイドに既存の停止部を設け、この停止部は、この力が最大になる自然停止部である。示されないが、このような停止部が存在することは理解されたい。
【０００９】
図２は、機関弁が、例えば、機関が始動される前に依然閉止位置にあることを示す。ソレノイドＡを作動させて、プランジャ５を加速させている間、距離７に沿って、プランジャ５が弁軸１１の上端に当たる箇所まで移動することで、「水撃作用」として、プランジャの運動エネルギーはほとんど瞬間的に弁軸に伝達される。
【００１０】
図３は、開放運動時の機関弁を示す。プランジャは、この運動エネルギーの大部分を機関弁に伝達しており、開放位置の方へのこの運動は重加速を受ける。プランジャの運動は、プランジャがソレノイドのこの自然停止部に達するまで別の短距離で継続する。
【００１１】
図４は、変更された完全開放位置における機関弁を示す。この段階の移動質量のみが、軸を有する機関弁、ばね座金、およびばねからなる可能な限り低い質量であることは明らかである。可能な限り短い継続時間が実現される。ばねの移動質量がばね重量の約三分の一を構成するとみなされることは、一般的である。
【００１２】
図５は、機関弁軸が、機関弁が通路２を閉ざすことになる時にこの初期位置の方への初期運動の前または初期運動時にプランジャに達することを示す。ソレノイドへのエネルギーの付加を短時間で適応させることで、機関弁の運動は遅くなり、それによって機関弁座に穏やかに戻ることが可能になる。
【００１３】
図６は、機関弁が、図１に示されるようなこの初期位置に戻ることを示す。しかしながら、プランジャは依然弁軸と接触している。
【００１４】
図７は、プランジャがまた、ばね６による助けでこの初期位置に戻されることを示す。
【００１５】
図８〜図１４は、基本的に、短い機械ばね４が外側の機械ばね９内に設けられる中央空間に配置されることを除いて、図１〜図７と同じ方法を示す。ばね４は、堅さがかなり小さくなって（弱くなって）いるように示されるばね９より、かなり堅く（強力であり）、かつかなり大きいばね定数を有する。この配置構成の目的は、かなり短い継続時間を提供することである。プランジャが弁軸に当たる時、図９に示されるように、距離７はなくなり、機関弁は、図２にあるように生じる時よりもかなり速い速度で移動する。ばね座金８がばね４に衝突する時、機関弁の運動エネルギーの大部分は、図１１のように、ばね４に伝達されることで、開放運動を迅速に停止させ、かつこの運動は、図１２のように、閉動作に変わる。機関弁は、必ずしも、ここで示されるように、機械ばねによって構成される必要はないどころか、別のタイプのばねによって構成可能であるばね４にはね返されると言える。
【００１６】
２ストロークまたは４ストローク燃焼機関で、ソレノイド（Ａ）、プランジャ（５）、およびばね（６）を含む弁アクチュエータを電気的に制御するための方法の第１の実施形態において、機関は、対応する弁軸（１１）および弁ばね（４）を有する弁ディスク（１０）を有する少なくとも１つの自由に制御可能な機関弁を有する少なくとも１つのシリンダー（１）を有する。ここで、プランジャの下端と弁軸の上端との間に距離（７）が設けられ、シリンダーにおける少なくとも１つの通路（２）を介して弁ディスクを有する弁軸の下部を通り過ぎた燃焼室（３）に対して、空気が供給されまたは排ガスが排気され、該弁アクチュエータは機関弁を開放するために作動可能である。該方法は、ソレノイドを作動後に機関弁の開放が開始され、その後プランジャを加速させることで、この下端を弁軸の上端に衝突させて、弁の初期開放を行うことを特徴とする。
【００１７】
第２の実施形態では、プランジャの移動が、プランジャがソレノイドにおけるこの停止部に達する時にこの移動が妨害されるまで継続し、機関弁の開放運動が、弁ばね力によってこの運動が停止するまで継続することで、機関弁が弁座の方へ戻り始めることをさらに特徴とする、第１の実施形態による方法が提供される。
【００１８】
第３の実施形態では、機関弁が弁座に達する前に弁棒の上端がプランジャの下端に達することで、閉止運動の制動が生じることをさらに特徴とする、第２の実施形態による方法が提供される。
【００１９】
第４の実施形態では、機関弁が弁座に達する直前に、弁ディスクが、適した速度で、例えば、弁座がすすだらけにならないほど十分な高速で、また同時に、弁ディスクおよび弁座を摩耗させ過ぎない十分な低速で、弁座に当たるように機関弁の運動を制動させるように短い時間で適応させる間に、ソレノイドを作動させることをさらに特徴とする、第３の実施形態による方法が提供される。
【００２０】
２ストロークまたは４ストローク燃焼機関における弁アクチュエータを電気的に制御し、かつ方法の第１の実施形態による方法を実行するためのデバイスの第１の実施形態では、該デバイスは、機関弁がソレノイドの作動後に最初に開放するように構成されることで、その後プランジャを加速させることによって、この下端を弁軸の上端に衝突させて弁の初期開放を行うことを特徴とする。
【００２１】
第２の実施形態では、短い機械ばね（４）が外側の機械ばね（９）の空間に配置され、ばね（４）がばね（９）と比較してばね定数がかなり高いことをさらに特徴とする、第１の実施形態によるデバイスが提供される。
【００２２】
第３の実施形態では、ばね（４）が、ばね（９）と比較して、かなり堅く、かつかなり大きいばね定数を有することをさらに特徴とする、第１の実施形態によるデバイスが提供される。
【００２３】
第４の実施形態では、ばね座金（８）が、ばね（４）への機関弁の運動エネルギーを受けるようにばね（４）に衝突して制動させて、この運動を閉止運動に変えることをさらに特徴とする、第２または第３の実施形態によるデバイスが提供される。
【００２４】
本発明は説明した実施形態に限定されないが、以下の特許請求の範囲内で修正を行うことができる。上述した実施形態はさらに、いかなる方法によっても組み合わせ可能である。
【図１】
2021532303.tif 000003
【図２】
2021532303.tif 000004
【図３】
2021532303.tif 000005
【図４】
2021532303.tif 000006
【図５】
2021532303.tif 000007
【図６】
2021532303.tif 000008
【図７】
2021532303.tif 000009
【図８】
2021532303.tif 000010
【図９】
2021532303.tif 000011
【図１０】
2021532303.tif 000012
【図１１】
2021532303.tif 000013
【図１２】
2021532303.tif 000014
【図１３】
2021532303.tif 000015
【図１４】
2021532303.tif 000016
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
２ストロークまたは４ストローク燃焼機関で、ソレノイド（Ａ）、プランジャ（５）、およびばね（６）を含む弁アクチュエータを電気的に制御するための方法であって、
前記アクチュエータのばね（６）は、前記ソレノイドを作動させない時、前記プランジャをホームポジションに保ち、前記機関は、対応する弁軸（１１）および弁ばね（４）を有する弁ディスク（１０）を有する少なくとも１つの自由に制御可能な機関弁を有する少なくとも１つのシリンダー（１）を有し、前記プランジャの下端と前記弁軸の上端との間に距離が設けられ、前記シリンダーにおける少なくとも１つの通路（２）を介して前記弁ディスクを有する前記弁軸の下部を通り過ぎた燃焼室（３）に対して、空気が供給されまたは排ガスが排気され、前記弁アクチュエータは前記機関弁を開放するために作動可能であり、
前記ソレノイドを作動後に前記機関弁の開放が開始され、その後前記プランジャを加速させることで、この下端を前記弁軸の前記上端に衝突させて、前記弁の初期開放を行い、前記プランジャの移動は、前記プランジャが前記ソレノイドにおけるこの停止部に達する時に前記移動が妨害されるまで継続し、前記機関弁の開放運動は、弁ばね力によって前記運動が停止するまで継続することで、前記機関弁は弁座の方へ戻り始める
ことを特徴とする方法。
【請求項２】
前記機関弁が前記弁座に達する前に前記弁軸の前記上端が前記プランジャの前記下端に達することで、前記機関弁の閉止運動の制動が生じる
請求項１に記載の方法。
【請求項３】
前記機関弁が前記弁座に達する直前に、前記弁座に穏やかに戻ることが可能になるように前記機関弁の運動を制動させるように短い時間で適応させる間に前記ソレノイドを作動させる
請求項２に記載の方法。
【請求項４】
２ストロークまたは４ストローク燃焼機関における弁アクチュエータを電気的に制御し、かつ請求項１に記載の方法を実行するためのデバイスであって、
前記アクチュエータは、ソレノイド（Ａ）、プランジャ（５）、およびばね（６）を含み、前記アクチュエータの前記ばね（６）は、前記ソレノイドを作動させない時、前記プランジャをホームポジションに保つように配置され、前記機関は、対応する弁軸（１１）および弁ばね（４）を有する弁ディスク（１０）を有する少なくとも１つの自由に制御可能な機関弁を有する少なくとも１つのシリンダー（１）を有し、前記プランジャの下端と前記弁軸の上端との間に距離が設けられ、前記シリンダーにおける少なくとも１つの通路（２）を介して前記弁ディスクを有する前記弁軸の下部を通り過ぎた燃焼室（３）に対して、空気が供給されまたは排ガスが排気され、前記弁アクチュエータは前記機関弁を開放するために作動し、
前記プランジャ（５）は、この下端が、前記ソレノイドの作動後、前記弁軸の前記上端に衝突して前記弁の初期開放を行うように位置付けられるように配置され、前記プランジャは前記ソレノイドに停止部を設けることで、前記プランジャが、前記停止部に達するまでこの開放運動を継続できるようにし、前記機関弁は、前記弁ばね（４）によってもたらされる力によって前記運動が停止するまで、前記プランジャが前記停止部に達した後、開放運動を継続するように配置される
ことを特徴とするデバイス。
【請求項５】
前記機関弁ばねは、外側の機械ばね（９）の中央空間に配置される短い機械ばね（４）を含み、前記短い機械ばね（４）は前記外側の機械ばね（９）と比較してばね定数がかなり高い
請求項４に記載のデバイス。
【請求項６】
前記短い機械ばね（４）は、前記外側の機械ばね（９）と比較して、かなり堅く、かつかなり高いばね定数を有する
請求項５に記載のデバイス。
【請求項７】
ばね座金（８）は、前記短い機械ばね（４）への前記機関弁の運動エネルギーを受けるように前記短い機械ばね（４）に衝突して制動させて、前記運動を閉止運動に変える
請求項５または６に記載のデバイス。
【国際調査報告】
2021532303.tif 000017
2021532303.tif 000018
2021532303.tif 000019
2021532303.tif 000020